(57)【要約】【課題】高い定着力を有し、コンクリートからの抜け出しを防止することができると共に、不要時に容易に撤去することができるあと施工アンカーを提供する。【解決手段】基部２１の先端側に先端に向かって漸次拡径するテーパ部２２が設けられているインナー部材２と、先端側にテーパ部２２の入り込みで拡張する拡張片３３が設けられているスリーブ３を備え、インナー部材２に後端面２３で開口する雌ねじ穴２４が設けられ、雌ねじ穴２４に取付ボルト４を螺合可能であると共に、インナー部材２の先端面２５で開口する挿入穴２６に軸方向に延びるスペーサー５がスライド可能に挿入され、その一部が挿入穴２６から先端側に突出して設けられているあと施工アンカー１。【選択図】図３
2020148046.tif 000002
【特許請求の範囲】
【請求項１】
基部の先端側に先端に向かって漸次拡径するテーパ部が設けられているインナー部材と、
先端側に前記テーパ部の入り込みで拡張する拡張片が設けられているスリーブを備え、
前記インナー部材に後端面で開口する雌ねじ穴が設けられ、前記雌ねじ穴に取付ボルトを螺合可能であると共に、
前記インナー部材の先端面で開口する挿入穴に前記インナー部材の軸方向に延びるスペーサーがスライド可能に挿入され、前記スペーサーの一部が前記挿入穴から先端側に突出して設けられていることを特徴とするあと施工アンカー。
【請求項２】
前記インナー部材の前記挿入穴が前記雌ねじ穴と連通して形成され、
前記雌ねじ穴に螺合された前記取付ボルトが前記スペーサーと当接して前記スペーサーが位置決めされていることを特徴とする請求項１記載のあと施工アンカー。
【請求項３】
抜出用ボルトの相対的な螺入で抜出方向に移動する抜出治具のキーと係合するキー溝が前記スリーブに設けられていることを特徴とする請求項１又は２記載のあと施工アンカー。
【請求項４】
前記スリーブに抜出用の雌ねじが形成されていることを特徴とする請求項１又は２記載のあと施工アンカー。
【請求項５】
請求項１〜４の何れかに記載のあと施工アンカーの設置構造であって、
前記インナー部材の前記テーパ部の入り込みで前記拡張片が拡張されて前記あと施工アンカーがコンクリートの穿孔に打設され、
前記スペーサーの軸部が前記インナー部材の先端面よりも前記穿孔の孔奥に突出するようにして前記あと施工アンカーが打設されていることを特徴とするあと施工アンカーの設置構造。
【請求項６】
請求項２記載のあと施工アンカーの施工方法であって、
前記取付ボルトが前記スペーサーと当接した状態で前記あと施工アンカーをコンクリートの穿孔に挿入する第１工程と、
前記スリーブの打ち込みにより前記テーパ部を前記拡張片に入り込ませ、前記スペーサーの軸部が前記インナー部材の先端面よりも前記穿孔の孔奥に突出した状態で前記スリーブの前記拡張片を拡張させる第２工程を備えることを特徴とするあと施工アンカーの施工方法。
【請求項７】
請求項１〜４の何れかに記載のあと施工アンカーが、前記インナー部材の前記テーパ部の入り込みで前記拡張片が拡張されてコンクリートの穿孔に打設されていると共に、前記スペーサーの軸部が前記インナー部材の先端面よりも前記穿孔の孔奥に突出するようにして打設されているあと施工アンカーの設置構造からあと施工アンカーを撤去する方法であって、
前記インナー部材をインナー打込棒で打ち込むことにより、前記インナー部材を前記スペーサーの軸部に沿ってスライドするようにして孔奥側に移動する工程を備えることを特徴とするあと施工アンカーの撤去方法。
【発明の詳細な説明】
【技術分野】
【０００１】
本発明は、既設のコンクリートに穿孔して打設されるあと施工アンカー及びその設置構造に関する。
【背景技術】
【０００２】
既設のコンクリートに穿孔して打設されるあと施工アンカーとして、本体打込式アンカーと、スリーブ打込式アンカーが用いられている。本体打込式アンカー２００は、図１２（ａ）、（ｂ）に示すように、先端側に拡張片２０２、後端側に雌ねじ２０３が形成された略筒状の本体２０１と、本体２０１の先端側に配置される先端コーン２０４から構成され、先端コーン２０４で拡張片２０２を拡張してコンクリート２１０に形成された穿孔２１１に打設される。打設された本体打込式アンカー２００の雌ねじ２０３には取付ボルト２０５を螺合し、コンクリート２１０から突出する取付ボルト２０５の部分に取付物２２０を外挿し、例えばワッシャー２０６を介してナット２０７を取付ボルト２０５に螺入して、取付物２２０が取り付けられる。
【０００３】
本体打込式アンカー２００は、取付ボルト２０５を外してしまえばコンクリート２１０からの突出部分が無くなるので、仮設アンカーとして利便性に優れる。更に、本体打込式アンカー２００の本体２０１自体を撤去したい場合には、特許文献１、２のように、先端コーン２０４で反力を取りながら本体２０１を引き抜いて撤去することが可能である。
【０００４】
また、スリーブ打込式アンカー３００は、図１２（ｃ）、（ｄ）に示すように、先端側に拡張片３０２が形成されたスリーブ３０１と、先端側にテーパ部３０４、後端側に雄ねじ部３０５が形成されたテーパボルト３０３とから構成され、テーパ部３０４で拡張片３０２を拡張してコンクリート３１０に形成された穿孔３１１に打設される。打設されたスリーブ打込式アンカー３００のテーパボルト３０３のコンクリート３１０から突出する部分には、取付物３２０を外挿し、例えばワッシャー３０６、スプリングワッシャー３０７を介してナット３０８を雄ねじ部３０５に螺入し、取付物３２０が取り付けられる。
【先行技術文献】
【特許文献】
【０００５】
【特許文献１】特開２００３−１０６３２３号公報
【特許文献２】特開２０１５−７１２１６号公報
【発明の概要】
【発明が解決しようとする課題】
【０００６】
ところで、本体打込式アンカーは、取付ボルトが螺着される略筒状の本体と、先端コーンが別部材であるため、取付ボルトに荷重が負荷されても先端コーンは引っ張られずに本体だけに引抜方向の力が作用する。そのため、撤去時には本体を引き抜いて撤去することが可能であるが、拡張片からの先端コーンの抜け出しが発生し、本体がコンクリートから抜け出してしまう可能性が高くなる。
【０００７】
これに対して、スリーブ打込式アンカーは、テーパボルトのテーパ部がスリーブ内に引き込まれて拡張片が拡張するため、テーパボルトに荷重が負荷されればテーパ部がスリーブ内により引き込まれて拡張力が生じ、定着力が増すことになる。しかしながら、スリーブ打込式アンカーでは、コンクリートへのアンカー打設、取付物の設置が不要になった場合、ナット・ワッシャー・取付物を外しても、テーパボルトはそのままコンクリートに残置され、コンクリートから出っ張って邪魔な状態ともなる。一旦打ち込まれたスリーブ打込式アンカーを撤去しようとすると、スリーブ打込式アンカーの引抜強度以上の荷重で抜くことが必要になるため、コンクリートが破壊されてしまう可能性が高い。そのため、コンクリートからの抜け出しを防止できると共に、不要時に容易に撤去することができるあと施工アンカーが求められている。
【０００８】
本発明は上記課題に鑑み提案するものであり、高い定着力を有し、コンクリートからの抜け出しを防止することができると共に、不要時に容易に撤去することができるあと施工アンカー及びその設置構造を提供することを目的とする。
【課題を解決するための手段】
【０００９】
本発明のあと施工アンカーは、基部の先端側に先端に向かって漸次拡径するテーパ部が設けられているインナー部材と、先端側に前記テーパ部の入り込みで拡張する拡張片が設けられているスリーブを備え、前記インナー部材に後端面で開口する雌ねじ穴が設けられ、前記雌ねじ穴に取付ボルトを螺合可能であると共に、前記インナー部材の先端面で開口する挿入穴に前記インナー部材の軸方向に延びるスペーサーがスライド可能に挿入され、前記スペーサーの一部が前記挿入穴から先端側に突出して設けられていることを特徴とする。
これによれば、インナー部材の雌ねじ穴に取付ボルトを螺合することにより、取付ボルトに荷重が負荷されればテーパ部が拡張片により引き込まれて拡張力が生じ、定着力を増すことができる。従って、本体打込式アンカーの先端コーンの抜け出しのような事態が無く、高い定着力を発揮して、コンクリートからの抜け出しを防止できる信頼性の高いあと施工アンカーとすることができる。また、あと施工アンカーの設置構造であと施工アンカーが不要になった際には、インナー部材をスペーサーの突出方向にスライドさせ、インナー部材のテーパ部のスリーブの拡張片への入り込みを外す或いは弱めることができ、あと施工アンカーを不要時に容易に撤去することが可能となる。従って、あと施工アンカーの設置のためにコンクリートに形成された穿孔を再利用することも可能となる。
【００１０】
本発明のあと施工アンカーは、前記インナー部材の前記挿入穴が前記雌ねじ穴と連通して形成され、前記雌ねじ穴に螺合された前記取付ボルトが前記スペーサーと当接して前記スペーサーが位置決めされていることを特徴とする。
これによれば、螺合された取付ボルトへのスペーサーの当接でスペーサーを所定位置に安定して位置決めしてあと施工アンカーにおいて定置することができる。また、スペーサーとインナー部材の安定した定置状態を利用し、スリーブを打ち込むことにより、あと施工アンカーの撤去時の便宜性の高いインナー部材と拡張片が孔底から浮いた所定位置で拡張片を拡張し、所要の定着力を発揮するあと施工アンカーを打設させることができる。
【００１１】
本発明のあと施工アンカーは、抜出用ボルトの相対的な螺入で抜出方向に移動する抜出治具のキーと係合するキー溝が前記スリーブに設けられていることを特徴とする。
これによれば、あと施工アンカーの撤去時に抜出治具のキーとスリーブのキー溝を容易に係合して、簡単にスリーブを孔外に撤去することができる。
【００１２】
本発明のあと施工アンカーは、前記スリーブに抜出用の雌ねじが形成されていることを特徴とする。
これによれば、あと施工アンカーの撤去時にスリーブの雌ねじに抜出用器具を螺着して、簡単にスリーブを孔外に撤去することができる。螺着してスリーブを抜き出すことにより、より高い安定性でスリーブを抜き出すことができる。
【００１３】
本発明のあと施工アンカーの設置構造は、本発明のあと施工アンカーを設置する構造であって、前記インナー部材の前記テーパ部の入り込みで前記拡張片が拡張されて前記あと施工アンカーがコンクリートの穿孔に打設され、前記スペーサーの軸部が前記インナー部材の先端面よりも前記穿孔の孔奥に突出するようにして前記あと施工アンカーが打設されていることを特徴とする。
これによれば、撤去時の便宜性を確保しつつ、所要の定着力を発揮することができる。
【００１４】
本発明のあと施工アンカーの施工方法は、本発明のあと施工アンカーを施工する方法であって、前記取付ボルトが前記スペーサーと当接した状態で前記あと施工アンカーをコンクリートの穿孔に挿入する第１工程と、前記スリーブの打ち込みにより前記テーパ部を前記拡張片に入り込ませ、前記スペーサーの軸部が前記インナー部材の先端面よりも前記穿孔の孔奥に突出した状態で前記スリーブの前記拡張片を拡張させる第２工程を備えることを特徴とする。
これによれば、螺合された取付ボルトへのスペーサーの当接によるスペーサーとインナー部材の安定した定置状態を利用し、スリーブの打込み時にインナー部材を孔奥に移動させずに孔奥から浮いた状態を維持し、あと施工アンカーの撤去時の便宜性の高い位置で拡張片を拡張させ、所要の定着力を発揮するあと施工アンカーを打設することができる。
【００１５】
本発明のあと施工アンカーの撤去方法は、本発明のあと施工アンカーが、前記インナー部材の前記テーパ部の入り込みで前記拡張片が拡張されてコンクリートの穿孔に打設されていると共に、前記スペーサーの軸部が前記インナー部材の先端面よりも前記穿孔の孔奥に突出するようにして打設されているあと施工アンカーの設置構造からあと施工アンカーを撤去する方法であって、前記インナー部材をインナー打込棒で打ち込むことにより、前記インナー部材を前記スペーサーの軸部に沿ってスライドするようにして孔奥側に移動する工程を備えることを特徴とする。
これによれば、インナー部材をスペーサーの軸部に沿ってスライドするようにして孔奥側に移動させることにより、インナー部材のテーパ部のスリーブの拡張片への入り込みを外す或いは弱めることができ、スリーブ及びあと施工アンカーを容易に撤去することができる。
【発明の効果】
【００１６】
本発明によれば、高い定着力を有し、コンクリートからの抜け出しを防止することができると共に、不要時に容易に撤去することができるあと施工アンカーを得ることができる。
【図面の簡単な説明】
【００１７】
【図１】（ａ）は本発明による第１実施形態のあと施工アンカーと取付ナット、取付ワッシャーの正面図、（ｂ）は第１実施形態のあと施工アンカーの縦断面図、（ｃ）は第１実施形態のあと施工アンカーにおけるスリーブの左端面図。
【図２】（ａ）は第１実施形態のあと施工アンカーの斜視図、（ｂ）はその分解斜視図。
【図３】（ａ）〜（ｄ）は第１実施形態のあと施工アンカーを打設する工程を説明する断面説明図、（ｅ）は取付ボルトを撤去した状態を説明する断面説明図。
【図４】第１実施形態のあと施工アンカーの撤去に用いられるインナー打込棒、抜出治具、抜出用ボルトを示す斜視図。
【図５】（ａ）は第１実施形態のあと施工アンカーの撤去に用いられる抜出治具の正面図、（ｂ）はその平面図、（ｃ）はその左側面図、（ｄ）はその右側面図。
【図６】（ａ）〜（ｅ）は第１実施形態のあと施工アンカーを撤去する工程を説明する断面説明図。
【図７】（ａ）は本発明による第２実施形態のあと施工アンカーと取付ナット、取付ワッシャーの正面図、（ｂ）は第２実施形態のあと施工アンカーの縦断面図、
【図８】（ａ）は第２実施形態のあと施工アンカーの斜視図、（ｂ）はその分解斜視図。
【図９】第２実施形態のあと施工アンカーの撤去に用いられるインナー打込棒、抜出治具、抜出用ボルトを示す斜視図。
【図１０】（ａ）は第２実施形態のあと施工アンカーの撤去に用いられる抜出用アタッチメントの正面図、（ｂ）はその縦断面図。
【図１１】（ａ）〜（ｆ）は第２実施形態のあと施工アンカーを撤去する工程を説明する断面説明図。
【図１２】（ａ）は従来の本体打込式アンカーの縦断面図、（ｂ）は従来の本体打込式アンカーによる取付物の取り付けを説明する説明図、（ｃ）は従来のスリーブ打込式アンカーの縦断面図、（ｄ）は従来のスリーブ打込式アンカーによる取付物の取り付けを説明する説明図。
【発明を実施するための形態】
【００１８】
〔第１実施形態のあと施工アンカー〕
本発明による第１実施形態のあと施工アンカー１は、図１及び図２に示すように、略円柱形の基部２１の先端側に先端に向かって漸次拡径するテーパ部２２が設けられているインナー部材２と、略円筒状の本体３１の先端側に先端から切り込まれたスリット３２で区分される拡張片３３が設けられているスリーブ３と、全長に亘って外周に雄ねじ４１が形成されている全ねじボルトで構成される取付ボルト４を備える。
【００１９】
インナー部材２には、後端面２３で開口する雌ねじ穴２４が設けられている。雌ねじ穴２４には取付ボルト４の雄ねじ４１が螺合可能になっており、雌ねじ穴２４の先端まで雄ねじ４１を螺合してインナー部材２に取付ボルト４が取り付けられている。また、インナー部材２には、雌ねじ穴２４よりも小径で形成され、先端面２５で開口する挿入穴２６が設けられており、挿入穴２６にスペーサー５が挿設されている。
【００２０】
スペーサー５は、軸部５１の先端に軸部５１よりも大径の頭部５２が設けられている形状である。スペーサー５は、頭部５２を先端側にして軸部５１を挿入穴２６に挿入して設けられ、インナー部材２の軸方向に延設されていると共に、その一部、本例では頭部５２と軸部の一部が挿入穴２６から先端に突出して設けられている。スペーサー５は、インナー部材２の挿入穴２６へ挿入されていると共に、インナー部材２に対して軸方向にスライド可能になっている。
【００２１】
更に、第１実施形態におけるインナー部材２の雌ねじ穴２４と雌ねじ穴２４よりも小径の挿入穴２６は連通して形成されており、雌ねじ穴２４の先端まで螺合された取付ボルト４の先端が挿入穴２６の後端まで挿入されたスペーサー５と当接して、インナー部材２に対してスペーサー５が所定位置に位置決めして設けられている。
【００２２】
あと施工アンカー１の拡張片３３が拡張されていない状態では、スリーブ３の拡張片３３にインナー部材２の基部２１が内装され、テーパ部２２の略全体が拡張片３３の先端から先で露出するように配置される。そして、拡張片３３の拡張時には、スリーブ３がインナー部材２の先端に向かって打ち込まれることで、拡張片３３にテーパ部２２が入り込んで拡張片３３が拡張される（図３参照）。
【００２３】
あと施工アンカー１を後述するコンクリート５００に設置して取付物５１０を取り付ける際には、取付ワッシャー６、取付ナット７が用いられる。取付ワッシャー６は取付ボルト４に外挿可能であり、取付ナット７は取付ボルト４に螺合可能になっており、スリーブ３から後方に突出する取付ボルト４の部分に取付ワッシャー６、取付ナット７が取り付けられる。
【００２４】
また、スリーブ３には、略円筒状の本体３１の後部にキー溝３４が設けられている。キー溝３４は、スリーブ３の後端面から軸方向に延びて周方向に曲がるように略Ｌ字形に切り込まれて形成され、本例では周方向に延びる部分を同一向きにして対向する位置に一対で形成されている。キー溝３４は、後述するあと施工アンカー１の撤去時に用いられる抜出治具１０のキー１０４と係合可能になっている。
【００２５】
第１実施形態のあと施工アンカー１をコンクリート５００に施工して設置する際には、図３（ａ）、（ｂ）に示すように、コンクリート１００に穿孔５０１を形成し、穿孔５０１内を清掃して非拡張状態のあと施工アンカー１をスペーサー５及びインナー部材２を孔奥側にして穿孔５０１に挿入する。本例では、取付ボルト４がスペーサー５と当接した状態であと施工アンカー１を穿孔５０１に挿入する。
【００２６】
次いで、図３（ｃ）に示すように、スリーブ３の後端面に筒状の打込棒８１を当接させ、ハンマー８２で打込棒８１を打ち込むことによってスリーブ３を孔奥側に打ち込み、インナー部材２のテーパ部２２をスリーブ３の拡張片３３に相対的に入り込ませて拡張片３３を拡張させ、拡張片３３を穿孔５０１の孔壁に食い込ませる。これにより、打設されたあと施工アンカー１では、スペーサー５の軸部５１の一部と頭部５２がインナー部材２の先端面２５よりも穿孔５０１の孔奥に突出した状態、即ちスペーサー５の頭部５２が穿孔５０１の孔底に達する一方でスリーブ３の拡張片３３が穿孔５０１の孔底から離間した位置で拡張される。
【００２７】
その後、図３（ｄ）に示すように、インナー部材２に螺着された取付ボルト４に取付物５１０を外挿し、取付物５１０の外側で取付ボルト４に取付ワッシャー６を外挿し、取付ナット７を取付ボルト４に螺合して取付物５１０が取り付けられる。取付物５１０を取り付けた状態にも、スペーサー５の軸部５１の一部と頭部５２がインナー部材３の先端面２５よりも穿孔５０１の孔奥に突出し、拡張片３３が孔底から浮いた位置で拡張された状態が維持される。
【００２８】
また、あと施工アンカー１の設置構造からあと施工アンカー１を撤去する場合には、インナー打込棒９、抜出治具１０、抜出用ボルト１１が用いられる（図４及び図５参照）。インナー打込棒９は、大径部９１と、大径部９１よりも先端側に設けられた小径部９２から構成されている。大径部９１はスリーブ３内に挿入可能で且つインナー部材２の雌ねじ穴２４に挿入不能な大きさで形成され、小径部９２はインナー部材２の雌ねじ穴２４に挿入可能な大きさで形成されており、大径部９１と小径部９２との間の面がインナー部材２の後端面２３に当接する当接面９３になっている。
【００２９】
抜出治具１０は、雌ねじ穴１０１が貫通形成された略円筒状であり、基部１０２の先端側に基部１０２より小径の小径部１０３が設けられている。基部１０２はスリーブ３内に挿入不能な大きさで形成され、小径部１０３はスリーブ３内に挿入可能な大きさで形成されている。抜出治具１０の小径部１０３の前部には、側方に突出するようにして略棒状のキー１０４が設けられ、本例では略対向する位置に一対のキー１０４・１０４が設けられている。キー１０４は、小径部１０３がスリーブ３に挿入された状態でキー溝３４に係合可能になっており、一対のキー１０４・１０４は一対のキー溝３４・３４と対応する位置に形成されている。抜出用ボルト１１は、軸部１１１と頭部１１２を有する頭付ボルトであり、軸部１１１の外周に形成された雄ねじ１１３は、抜出治具１０の雌ねじ穴１０１に螺合可能でインナー部材２の雌ねじ穴２４に挿通可能になっている。
【００３０】
そして、あと施工アンカー１の撤去時には、取付ナット７、取付ワッシャー６、取付物５１０、取付ボルト４をあと施工アンカー１から外した後（図３（ｅ）参照）、設置されたあと施工アンカー１のインナー部材２の雌ねじ穴２４にインナー打込棒９の小径部９２を挿入し且つインナー打込棒９の当接面９３をインナー部材２の後端面２３に当接して、ハンマー９４でインナー打込棒９を打ち込むことによりインナー部材２だけを孔奥に打ち込む。この打ち込みにより、インナー部材２はスペーサー５の軸部５１に沿ってスライドするようにして孔奥側に移動し、先端面２５をスペーサー５の頭部５２に当接すると共に、インナー部材２とスリーブ３は縁切りの状態或いは縁切りに近い状態となる。（図６（ａ）、（ｂ）参照）。
【００３１】
次いで、インナー打込棒９を外した後、図６（ｃ）、（ｄ）に示すように、抜出治具１０の小径部１０３をスリーブ３内に挿入して回転し、抜出治具１０のキー１０４をスリーブ３のキー溝３４に係合し、更に、抜出用ボルト１１の雄ねじ１１３を抜出治具１０の雌ねじ穴１０１に螺入し、抜出用ボルト１１の先端をスペーサー５の後端に当接する。
【００３２】
その後、抜出用ボルト１１の先端で当接するスペーサー５を押しながら、電動工具１２等で抜出用ボルト１１を回転させると、抜出治具１０及びこれに係合されたスリーブ３が抜出用ボルト１１の相対的な螺入で抜出方向に移動し、穿孔５０１の外に上がってきて、抜出治具１０と係合されたスリーブ３が抜き出される（図６（ｄ）、（ｅ）参照）。この抜出時には、スリーブ３の拡張片３３はスプリングバックして拡張前の形状にほぼ戻り、穿孔径以下の形に窄んだ状態で穿孔５０１から出てくる。
【００３３】
その後、抜出用ボルト１１の抜出治具１０とインナー部材２への螺合、抜出治具１０とスリーブ３の係合を外してスリーブ３を穿孔５０１から撤去し、更に、更に、例えば取付ボルト４或いは取付ボルト４の雄ねじ４１と同一の雄ねじが設けられているボルトを用い、雄ねじ４１等を少しインナー部材２の雌ねじ穴２４に螺合し、ボルト毎抜き出す等により、穿孔５０１に残ったインナー部材２とスペーサー５を撤去する。そして、空洞になった穿孔５０１は、必要に応じて充填材を充填して塞ぐか、或いは同径等の別のあと施工アンカーの打設に再利用する。
【００３４】
第１実施形態によれば、インナー部材２の雌ねじ穴２４に取付ボルト４を螺合することにより、取付ボルト４に荷重が負荷されればテーパ部２２が拡張片３３により引き込まれて拡張力が生じ、定着力を増すことができる。従って、本体打込式アンカーの先端コーンの抜け出しのような事態が無く、高い定着力を発揮して、コンクリート５００からの抜け出しを防止できる信頼性の高いあと施工アンカー１とすることができる。また、あと施工アンカー１の設置構造であと施工アンカー１が不要になった際には、インナー部材２をスペーサー５の突出方向にスライドさせ、インナー部材２のテーパ部２２のスリーブ３の拡張片３３への入り込みを外す或いは弱めることができ、あと施工アンカー１を不要時に容易に撤去することが可能となる。従って、あと施工アンカー１の設置のためにコンクリート５００に形成された穿孔５０１を再利用することも可能となる。
【００３５】
また、螺合された取付ボルト４へのスペーサー５の当接でスペーサー５を所定位置に安定して位置決めしてあと施工アンカー１において定置することができる。また、スペーサー５とインナー部材２の安定した定置状態を利用し、スリーブ３を打ち込むことにより、あと施工アンカー１の撤去時の便宜性の高いインナー部材２と拡張片３３が孔底から浮いた所定位置で拡張片３３を拡張し、所要の定着力を発揮するあと施工アンカー１を打設させることができる。
【００３６】
また、抜出用ボルト１１の相対的な螺入で抜出方向に移動する抜出治具１０のキー１０４とスリーブ３のキー溝３４を係合する構成により、あと施工アンカー１の撤去時に抜出治具１０のキー１０４とスリーブ３のキー溝３４を容易に係合して、簡単にスリーブ３を孔外に撤去することができる。
【００３７】
〔第２実施形態のあと施工アンカー〕
本発明による第２実施形態のあと施工アンカー１ａは、図７及び図８に示すように、略円筒状の本体３１ａの先端側に先端から切り込まれたスリット３２ａで区分される拡張片３３ａが設けられているスリーブ３ａと、第１実施形態と同一構成のインナー部材２、取付ボルト４、スペーサー５を備える。尚、あと施工アンカー１ａをコンクリート５００に設置して取付物５１０を取り付ける際に用いられる取付ワッシャー６、取付ナット７も、第１実施形態と同一構成である。
【００３８】
スリーブ３ａには、第１実施形態のキー溝３４は形成されておらず、略円筒状の本体３１ａの後部に抜出用の雌ねじ３５ａが形成されている。そして、第１実施形態と同様に、あと施工アンカー１ａの拡張片３３ａが拡張されていない状態では、スリーブ３ａの拡張片３３ａにインナー部材２の基部２１が内装され、テーパ部２２の略全体が拡張片３３ａの先端から先で露出するように配置される。また、拡張片３３ａの拡張時には、スリーブ３ａがインナー部材２の先端に向かって打ち込まれることで、拡張片３３ａにテーパ部２２が入り込んで拡張片３３ａが拡張される（図１１参照）。
【００３９】
第２実施形態のあと施工アンカー１ａをコンクリート５００に施工して設置する際の工程は、基本的に第１実施形態のあと施工アンカー１をコンクリート５００に施工して設置する工程と同様である。即ち、コンクリート１００に形成して清掃した穿孔５０１に、非拡張状態のあと施工アンカー１ａを、取付ボルト４がスペーサー５と当接した状態で、スペーサー５及びインナー部材２を孔奥側にして穿孔５０１に挿入する。
【００４０】
次いで、スリーブ３ａを孔奥側に打ち込み、インナー部材２のテーパ部２２をスリーブ３ａの拡張片３３ａに相対的に入り込ませて拡張片３３ａを拡張させ、拡張片３３ａを穿孔５０１の孔壁に食い込ませると共に、スペーサー５の軸部５１の一部と頭部５２がインナー部材２の先端面２５よりも穿孔５０１の孔奥に突出した状態でスリーブ３ａの拡張片３３ａを拡張させる。その後、インナー部材２に螺着された取付ボルト４に取付物５１０を外挿し、取付物５１０の外側で取付ボルト４に取付ワッシャー６を外挿し、取付ナット７を取付ボルト４に螺合して取付物５１０を取り付ける。拡張片３３ａが孔底から浮いた位置で拡張された状態は取付物５１０を取り付けた状態でも維持される。
【００４１】
また、あと施工アンカー１ａの設置構造からあと施工アンカー１ａを撤去する場合には、第１実施形態と同一構成のインナー打込棒９、抜出用アタッチメント１３ａ、抜出用ボルト１１ａが用いられる（図９及び図１０参照）。抜出用アタッチメント１３ａは、雌ねじ穴１３１ａが貫通形成された略円筒状であり、円筒形の基部１３２ａの先端側の外周にスリーブ３ａの雌ねじ３５ａと螺合可能な雄ねじ１３３ａが設けられている。抜出用ボルト１１ａは、軸部１１１ａと頭部１１２ａを有する頭付ボルトであり、軸部１１１ａの後部の外周に形成された雄ねじ１１３ａは抜出用アタッチメント１３ａの雌ねじ穴１３１ａに螺合可能になっている。
【００４２】
そして、あと施工アンカー１ａの撤去時には、取付ナット７、取付ワッシャー６、取付物５１０、取付ボルト４をあと施工アンカー１から外した後（図３（ｅ）参照）、設置されたあと施工アンカー１ａのインナー部材２の雌ねじ穴２４にインナー打込棒９の小径部９２を挿入し且つインナー打込棒９の当接面９３をインナー部材２の後端面２３に当接して、ハンマー９４でインナー打込棒９を打ち込むことによりインナー部材２だけを孔奥に打ち込む。この打ち込みにより、インナー部材２はスペーサー５の軸部５１に沿ってスライドするようにして孔奥側に移動し、先端面２５をスペーサー５の頭部５２に当接すると共に、インナー部材２とスリーブ３ａは縁切りの状態或いは縁切りに近い状態となる。（図１１（ａ）、（ｂ）参照）。
【００４３】
次いで、インナー打込棒９を外した後、図１１（ｃ）、（ｄ）に示すように、抜出用アタッチメント１３ａの雄ねじ１３３ａをスリーブ３ａの雌ねじ３５ａに螺合して、抜出用アタッチメント１３ａをスリーブ３ａに螺着する。更に、図１１（ｅ）に示すように、更に、抜出用ボルト１１ａの雄ねじ１１３ａを抜出用アタッチメント１３ａの雌ねじ穴１３１ａに螺入し、抜出用ボルト１１ａの先端をスペーサー５の後端に当接する。
【００４４】
その後、抜出用ボルト１１ａの先端で当接するスペーサー５を押しながら、電動工具１２等で抜出用ボルト１１ａを回転させると、抜出用アタッチメント１３ａ及びこれに螺着されたスリーブ３ａが抜出用ボルト１１ａの相対的な螺入で抜出方向に移動し、穿孔５０１の外に上がってきて、抜出用アタッチメント１３ａと螺着されたスリーブ３ａが抜き出される（図１１（ｅ）、（ｆ）参照）。この抜出時には、スリーブ３ａの拡張片３３ａはスプリングバックして拡張前の形状にほぼ戻り、穿孔径以下の形に窄んだ状態で穿孔５０１から出てくる。その後は、第１実施形態のあと施工アンカー１と同様の撤去工程を行う。
【００４５】
第２実施形態によれば、第１実施形態と対応する構成から対応する効果を得ることができる。また、スリーブ３ａの抜出用の雌ねじ３５ａを形成することにより、あと施工アンカー１ａの撤去時にスリーブ３ａの雌ねじ３５ａに抜出用アタッチメント１３ａ等の抜出用器具を螺着して、簡単にスリーブ３ａを孔外に撤去することができる。また、スリーブ３ａの雌ねじ３５ａに抜出用アタッチメント１３ａを螺着してスリーブ３ａを抜き出すことにより、より高い安定性でスリーブ３ａを抜き出すことができる。
【００４６】
〔本明細書開示発明の包含範囲〕
本明細書開示の発明は、発明として列記した各発明、各実施形態の他に、適用可能な範囲で、これらの部分的な内容を本明細書開示の他の内容に変更して特定したもの、或いはこれらの内容に本明細書開示の他の内容を付加して特定したもの、或いはこれらの部分的な内容を部分的な作用効果が得られる限度で削除して上位概念化して特定したものを包含する。そして、本明細書開示の発明には下記内容や変形例も含まれる。
【００４７】
例えば第１、第２実施形態におけるスペーサー５は、軸部５１と頭部５２からなる構成としたが、スペーサー５の構成は本発明の趣旨の範囲内で適宜であり、例えば軸部だけから構成される棒状のスペーサー等とすることも可能である。また、第１、第２実施形態におけるインナー部材２の雌ねじ穴２４と挿通穴２６は連通する構成としたが、連通しない構成とすることも可能であり、例えば雌ねじ穴２４と挿通穴２６との間に薄肉の板部を設け、この薄肉の板部がインナー打込棒９の打込みによるスペーサー５の後端面の打撃で破断可能である構成等とすることも可能である。
【００４８】
また、本発明のあと施工アンカーは、コンクリートに下向き、上向き或いは横向きで打設して設置構造を構築できるものであり、その打設方向は適宜である。更に、これらの適宜の打設方向で打設され設置されたあと施工アンカーを撤去する方法が本発明に含まれる。また、第１、第２実施形態では、電動工具１２を用いてあと施工アンカー１、１ａを撤去する工程について説明したが、電動工具１２に代えて手工具を用いて撤去工程を行うことも可能である。また、あと施工アンカー１、１ａ或いはスリーブ３、３ａを撤去する方法は、第１、第２実施形態に例示した撤去方法以外にも本発明の趣旨の範囲内で適宜である。
【産業上の利用可能性】
【００４９】
本発明は、既設のコンクリートに穿孔してあと施工アンカーを打設する際に利用することができる。
【符号の説明】
【００５０】
１、１ａ…あと施工アンカー  ２…インナー部材  ２１…基部  ２２…テーパ部  ２３…後端面  ２４…雌ねじ穴  ２５…先端面  ２６…挿入穴  ３、３ａ…スリーブ  ３１、３１ａ…本体  ３２、３２ａ…スリット  ３３、３３ａ…拡張片  ３４…キー溝  ３５ａ…雌ねじ  ４…取付ボルト  ４１…雄ねじ  ５…スペーサー  ５１…軸部  ５２…頭部  ６…取付ワッシャー  ７…取付ナット  ８１…打込棒  ８２…ハンマー  ９…インナー打込棒  ９１…大径部  ９２…小径部  ９３…当接面  ９４…ハンマー  １０…抜出治具  １０１…雌ねじ穴  １０２…基部  １０３…小径部  １０４…キー  １１、１１ａ…抜出用ボルト  １１１、１１１ａ…軸部  １１２、１１２ａ…頭部  １１３、１１３ａ…雄ねじ  １２…電動工具  １３ａ…抜出用アタッチメント  １３１ａ…雌ねじ穴  １３２ａ…基部  １３３ａ…雄ねじ  ５００…コンクリート  ５０１…穿孔  ５１０…取付物  ２００…本体打込式アンカー  ２０１…本体  ２０２…拡張片  ２０３…雌ねじ  ２０４…先端コーン  ２０５…取付ボルト  ２０６…ワッシャー  ２０７…ナット  ２１０…コンクリート  ２１１…穿孔  ２２０…取付物  ３００…スリーブ打込式アンカー  ３０１…スリーブ  ３０２…拡張片  ３０３…テーパボルト  ３０４…テーパ部  ３０５…雄ねじ部  ３０６…ワッシャー  ３０７…スプリングワッシャー  ３０８…ナット  ３１０…コンクリート  ３１１…穿孔  ３２０…取付物
【図１】
2020148046.tif 000003
【図２】
2020148046.tif 000004
【図３】
2020148046.tif 000005
【図４】
2020148046.tif 000006
【図５】
2020148046.tif 000007
【図６】
2020148046.tif 000008
【図７】
2020148046.tif 000009
【図８】
2020148046.tif 000010
【図９】
2020148046.tif 000011
【図１０】
2020148046.tif 000012
【図１１】
2020148046.tif 000013
【図１２】
2020148046.tif 000014